(57)【要約】【課題】光接続を確立するための偏向角制御が解除された状態において、意図しないポートへの光信号の混入を防止する。【解決手段】ポートアレイ１１には、入力ポートと出力ポートを含む複数のポートが配列されている。分光素子１４は、入力ポート１１ｃから入力された光を、ポートの配列方向と異なる向きに分光する。偏向素子１６を駆動しない非動作時において、分光素子１４により分光されて偏向素子１６に入射した波長成分光Ｌａは、偏向光Ｌｂとして入力ポートと出力ポートを避ける所定位置Ｐに導かれる。吸収、散乱、拡散の少なくとも１つを偏向光Ｌｂに対して行なう光減衰部材１９が、所定位置Ｐに設けられる。【選択図】図４
2015001723.tif 000002
【特許請求の範囲】
【請求項１】
入力ポートと出力ポートを含む複数のポートが第１方向に配列されたポートアレイと、
前記入力ポートより入力された光を、前記第１方向と異なる第２方向に分光する分光素子と、
前記分光素子により分光された所定の波長成分光を所定の方向に偏向することにより、偏向光を生成する偏向部を有する偏向素子と、
吸収、散乱、拡散の少なくとも１つを前記偏向光に対して行なう光減衰部材とを備え、
前記偏向素子を駆動しない非動作時においては、前記偏向部により偏向された各偏向光は、前記入力ポートと前記出力ポートを避ける所定位置に導かれ、
前記光減衰部材は、前記所定位置に設けられている、波長選択スイッチ。
【請求項２】
前記分光された波長成分光を前記偏向部へ向けて集光する集光光学系を備え、
前記非動作時における前記偏向部により偏向された前記偏向光は、前記集光光学系に再入射する、請求項１に記載の波長選択スイッチ。
【請求項３】
前記所定位置は、前記偏向素子を駆動する部品を支持する基板の表面であり、
前記表面は、前記基板を収容する筺体の内壁面よりも前記偏向光に対する吸収性、散乱性、および拡散性の少なくとも１つが高い、請求項２に記載の波長選択スイッチ。
【請求項４】
前記内壁面に設けられ、前記非動作時における前記偏向素子により前記偏向光を前記表面に向けて反射する反射部材を備える、請求項３に記載の波長選択スイッチ。
【請求項５】
前記所定位置は、前記ポートアレイ、前記分光素子、前記偏向素子、前記集光光学系を収容する筺体の内壁面である、請求項２に記載の波長選択スイッチ。
【請求項６】
前記所定位置は、前記ポートアレイ、前記分光素子、前記集光光学系を含む複数の光学部品の一部である、請求項２に記載の波長選択スイッチ。
【請求項７】
前記ポートアレイと前記分光素子を含む複数の光学部品の少なくとも１つを支持する基板を備え、前記非動作時における前記偏向素子により偏向された前記偏向光は、前記光学部品の少なくとも１つと前記基板の間を通過する、請求項１から請求項６のいずれか一項に記載の波長選択スイッチ。
【発明の詳細な説明】
【技術分野】
【０００１】
本発明は、波長選択スイッチに関する。
【背景技術】
【０００２】
波長分割多重方式光通信の分野においては、再構成可能な光アドドロップマルチプレクサ（ＲＯＡＤＭ；Reconfigurable optical add drop multiplexer）が知られている。この装置においては、互いに異なる複数の波長成分を含む信号光を分光する分光素子と、分光された波長成分光をそれぞれ異なる方向へ偏向する光偏向素子を備える波長選択スイッチ（ＷＳＳ；wavelength selective switch）が用いられる。波長選択スイッチは、光ネットワークを構成する各ノードに配置される。
【０００３】
あるノードまたは経路で障害が発生した場合に、波長選択スイッチは、ネットワーク全体の通信が損なわれないように、障害の発生していないノードまたは経路を経由して信号光を伝送する。このとき通信に関与しない、あるいはできないノードに配置された波長選択スイッチにおいては、入力ポートと出力ポートの間の接続を断つことにより、意図しないネットワークの接続状態が発生しないようにする必要がある。
【０００４】
例えば、特許文献１に記載の波長選択スイッチは、入力ポートと出力ポートを含む複数のポートが配列されたポートアレイを備えている。偏向素子を駆動しない非動作時においては、偏向素子により偏向された光は、ポートアレイに入射しない所定位置へ導かれ、入力ポートと出力ポート間の光接続が断たれるように構成されている。
【先行技術文献】
【特許文献】
【０００５】
【特許文献１】特許第４６５１６３５号公報
【発明の概要】
【発明が解決しようとする課題】
【０００６】
ポートアレイに入射しない所定位置に導かれた偏向光の一部は、光学系を収容する筺体の内壁や各種部品によって反射され、予期せぬ挙動を伴う迷光となる場合がある。ポートアレイと偏向素子を結ぶ光路上に配置された光学系に当該迷光が侵入すると、意図しないポートへの光信号の混入が発生する。
【０００７】
よって本発明は、光接続を確立するための偏向角制御が解除された状態において、意図しないポートへの信号光の混入を防止しうる技術を提供することを目的とする。
【課題を解決するための手段】
【０００８】
上記目的を達成するために、本発明がとりうる一態様は、波長選択スイッチであって、
入力ポートと出力ポートを含む複数のポートが第１方向に配列されたポートアレイと、
前記入力ポートより入力された光を、前記第１方向と異なる第２方向に分光する分光素子と、
前記分光素子により分光された所定の波長成分光を所定の方向に偏向することにより、偏向光を生成する偏向部を有する偏向素子と、
吸収、散乱、拡散の少なくとも１つを前記偏向光に対して行なう光減衰部材とを備え、
前記偏向素子を駆動しない非動作時においては、前記偏向部により偏向された各偏向光は、前記入力ポートと前記出力ポートを避ける所定位置に導かれ、
前記光減衰部材は、前記所定位置に設けられている。
【発明の効果】
【０００９】
このような構成によれば、光接続を確立するための偏向角制御が解除された状態において、意図しないポートへの信号光の混入を防止しうる。
【図面の簡単な説明】
【００１０】
【図１】本発明の一実施形態に係る波長選択スイッチを模式的に示す図である。
【図２】波長選択スイッチが備える光学系の構成を示す模式図である。
【図３】ポート切替時における偏向素子の動作を説明する模式図である。
【図４】偏向素子の非動作時における偏向光の光路を説明する模式図である。
【図５】第１変形例に係る波長選択スイッチの構成を示す模式図である。
【図６】第２変形例に係る波長選択スイッチの構成を示す模式図である。
【図７】第３変形例に係る波長選択スイッチの構成を示す模式図である。
【発明を実施するための形態】
【００１１】
本発明に係る実施形態を列記して説明する。
【００１２】
（１）：波長選択スイッチであって、
入力ポートと出力ポートを含む複数のポートが第１方向に配列されたポートアレイと、
前記入力ポートより入力された光を、前記第１方向と異なる第２方向に分光する分光素子と、
前記分光素子により分光された所定の波長成分光を所定の方向に偏向することにより、偏向光を生成する偏向部を有する偏向素子と、
吸収、散乱、拡散の少なくとも１つを前記偏向光に対して行なう光減衰部材とを備え、
前記偏向素子を駆動しない非動作時においては、前記偏向部により偏向された各偏向光は、前記入力ポートと前記出力ポートを避ける所定位置に導かれ、
前記光減衰部材は、前記所定位置に設けられている。
【００１３】
このような構成によれば、偏向光が入力ポートと出力ポートを避けるように導かれる所定位置において、吸収、拡散、散乱の少なくとも１つを光減衰部材が行なうため、当該位置において主として反射に起因する迷光の発生を防止することができる。すなわち光接続を確立するための偏向角制御が解除された状態において、意図しないポートへの信号光の混入が回避される。したがって、波長選択スイッチの安定した動作を実現できる。
【００１４】
（２）：（１）に記載の波長選択スイッチであって、
前記分光された波長成分光を前記偏向部へ向けて集光する集光光学系を備え、
前記非動作時における前記偏向部により偏向された前記偏向光は、前記集光光学系に再入射する。
【００１５】
上記の構成によれば、偏向光を敢えて集光光学系に再入射させることにより、その後の偏向光の進路を光学系の制御下に置くようにしている。これにより偏向光の進路が特定しやすくなり、迷光防止対策を確実に講じることができる。例えば光減衰部材の材料、形状、配置などが管理しやすくなる。
【００１６】
（３）：（２）に記載の波長選択スイッチであって、
前記所定位置は、前記偏向素子を駆動する部品を支持する基板の表面であり、
前記表面は、前記基板を収容する筺体の内壁面よりも前記偏向光に対する吸収性、散乱性、および拡散性の少なくとも１つが高い。
【００１７】
このような構成によれば、基板の表面が光減衰効果を発揮するため、筺体内の構造による偏向光の再反射を主因とする迷光の発生が防止される。また波長選択スイッチを構成する上で必要な偏向素子を駆動する部品を支持する基板を有効活用することができ、光減衰部材を設けるために別途の加工や部品追加の必要がない。
【００１８】
（４）：（３）に記載の波長選択スイッチであって、
前記内壁面に設けられ、前記非動作時における前記偏向素子により前記偏向光を前記表面に向けて反射する反射部材を備える。
【００１９】
この場合、偏向光を筺体の内壁面（光学系の外側）に一旦導くことにより、偏向光が光学系と干渉するおそれを抑制できる。その上で、所望の粗面へ偏向光を容易に導くことができる。
【００２０】
（５）：（２）に記載の波長選択スイッチであって、
前記所定位置は、前記ポートアレイ、前記分光素子、前記集光光学系を含む複数の光学部品の一部である。
【００２１】
このような構成によれば、偏向光の光路を可及的に短くすることができるため、迷光が発生するおそれを抑制することができる。
【００２２】
（６）：（２）に記載の波長選択スイッチであって、
前記所定位置は、前記ポートアレイ、前記分光素子、前記偏向素子、前記集光光学系を収容する筺体の内壁面である。
【００２３】
このような構成によれば、光学部品の一部を所定位置とする場合と比較して、光減衰機能を実現する手段の選択肢を増やすことができる。
【００２４】
（７）：（１）から（６）のいずれかに記載の波長選択スイッチであって、
前記ポートアレイと前記分光素子を含む複数の光学部品の少なくとも１つを支持する基板を備え、前記非動作時における前記偏向素子により偏向された前記偏向光は、前記光学部品の少なくとも１つと前記基板の間を通過する。
【００２５】
このような構成によれば、所定位置に至る偏向光の光路を定める上で、例えば光学部品の支持構造により形成された隙間などを有効活用することができる。
【００２６】
添付の図面を参照しつつ、本発明に係る実施形態のより具体的な例について以下詳細に説明する。なお以下の説明に用いる各図面では、各部材を認識可能な大きさとするために縮尺を適宜変更している。
【００２７】
図１に示すように、本発明の一実施形態に係る波長選択スイッチ１は、筺体２と蓋体３を備えている。筺体２は、開口部２ａを区画する周壁２ｂを有する。蓋体３は、開口部２ａを閉塞して筺体２とともに封止空間４を形成する。蓋体３は、筺体２の周壁２ｂに溶接されている。
【００２８】
筺体２の周壁２ｂにはファイバフィードスルー５が設けられている。ファイバフィードスルー５は、封止空間４の内外を連通する貫通孔を有している。光信号の伝達に用いられる光ファイバ６の一部が金属被覆材６ａで被覆され、当該貫通孔を通じて封止空間４の外側から内側へ導入されている。金属被覆材６ａはファイバフィードスルー５に対して半田５ａにより接合されている。ファイバフィードスルー５は、周壁２ｂに対して半田５ｂにより接合されている。
【００２９】
また周壁２ｂには管路７が設けられている。管路７は、筺体２の内外を連通しており、封止空間４内に所定の気体を導入する際に用いられる。筺体２の外側に位置する管路７の端部は、封止材７ａにより封止されている。
【００３０】
筺体２の底壁２ｃには電気フィードスルー８が設けられている。電気フィードスルー８は、電気信号の伝達に用いられる複数の導電ピン８ａを保持している。
【００３１】
封止空間４には、デバイス本体１０が収容されている。デバイス本体１０は、光学基板２０、電気基板３０、および配線部材４０を備えている。光学基板２０は、支持部材２０ａにより筺体２の底壁２ｃ上に支持されている。電気基板３０は、支持部材３０ａにより蓋体３の内面３ａ上に支持されている。電気基板３０の電気的部分と電気フィードスルー８の導電ピン８ａとは、配線部材４０を介して電気的に接続される。
【００３２】
図２に示すように、波長選択スイッチ１を構成する様々な光学部品は、光学基板２０上に配置される。波長選択スイッチ１は、ポートアレイ１１、コリメータアレイ１２、アナモルフィック光学系１３、分光素子１４、集光レンズ１５、および偏向素子１６を備えている。図２の（ａ）は、Ｘ方向から見た波長選択スイッチ１の構成を示している。図２の（ｂ）は、Ｙ方向から見た波長選択スイッチ１の構成を示している。
【００３３】
ポートアレイ１１は、Ｘ方向に配列された複数のポート１１ａ〜１１ｅを備えている。各ポート１１ａ〜１１ｅには対応する光ファイバ６が接続され、入力ポートまたは出力ポートとして使用される。入力ポートとして使用されるポートは、外部のノードより波長選択スイッチ１に入力される信号光が通過する。出力ポートとして使用されるポートは、外部のノードへ波長選択スイッチ１から出力される信号光が通過する。
【００３４】
いずれのポートを入力ポートまたは出力ポートに割り当てるかは任意である。図２に示す例においては、ポート１１ａが入力ポートに、ポート１１ｂ、１１ｃ、１１ｄ、１１ｅが出力ポートに割り当てられている。
【００３５】
コリメータアレイ１２は、ポートアレイ１１より入力された光を平行光にする光学素子であり、例えば回転対称レンズや、回転対称レンズが各ポート１１ａ〜１１ｅに対応してアレイ状に配置されたレンズアレイである。ポートアレイ１１とコリメータアレイ１２により、アレイ光学系が構成されている。
【００３６】
アナモルフィック光学系１３は、コリメータアレイ１２より入力された光を、Ｘ方向とＹ方向とで異なる倍率となるように変換する光学系であり、例えば、一対のプリズム１３ａ、１３ｂからなり、光をＹ方向に拡大する拡大光学系である。図２に示す例においては、Ｙ方向の倍率がＸ方向の倍率よりも大きくなるように構成されており、アナモルフィック光学系１３より出力される光を進行方向から見た断面は、Ｙ方向に扁平な楕円形状となる。
【００３７】
分光素子１４は、入力された光をＹ方向に分光する光学素子であり、例えば透過型の回折格子である。図２に示す例においては、波長λ１、λ２、λ３を含む波長多重光Ｌ０が分光素子１４を通過することにより、各波長成分の光である、波長λ１を含む光Ｌ１、波長λ２を含む光Ｌ２、および波長λ３を含む光Ｌ３に分光され、それらがＹ方向について異なる角度で出力されている。
【００３８】
集光レンズ１５は、分光素子１４と偏向素子１６の間に配置されており、分光素子１４から出力された各波長成分光を、偏向素子１６へ向けて集光するように構成されている。
【００３９】
偏向素子１６は、Ｙ方向に配列された偏向部１６ａ〜１６ｅを有し、分光素子１４により分光された各波長成分光に対応して設けられる。当該偏向部１６ａ〜１６ｅの各々は、各波長成分の光を独立に偏向可能に構成されている。図２に示す例においては、偏向部１６ａ、１６ｂ、１６ｃが、それぞれ波長λ１、λ２、λ３を含む各波長成分の光Ｌ１、Ｌ２、Ｌ３が集光される位置に配置されている。本実施形態においては、各偏向部１６ａ〜１６ｅは反射面を有しており、当該反射面は、Ｘ方向とＹ方向にその向きを変えることにより、反射光の進行方向を独立に偏向させることが可能とされている。
【００４０】
波長選択スイッチ１は、偏向素子１６と通信可能に接続された駆動部１７を備えている。駆動部１７は、電気基板３０上に配置され、配線部材４０および電気フィードスルー８を通じて、筺体２の外部に配置された図示しない制御部と通信可能に接続される。当該制御部より供給される制御信号に応じて、駆動部１７は、反射光の進行方向を独立に偏向させることができるように、各偏向部１６ａ〜１６ｅの反射面の向きを制御可能に構成されている。
【００４１】
偏向部１６ａ、１６ｂ、１６ｃにより反射された各波長成分の光Ｌ１、Ｌ２、Ｌ３は、それぞれ集光レンズ１５、分光素子１４、アナモルフィック光学系１３、およびコリメータアレイ１２を通過して、ポートアレイ１１に入力される。図２に示す例においては、光Ｌ１はポート１１ｃに、光Ｌ２はポート１１ｄに、光Ｌ３はポート１１ｅに入射する。
【００４２】
すなわち上記の例においては、少なくとも波長λ１、λ２、λ３を含む波長多重光Ｌ０（多重化された信号光）が波長選択スイッチ１のポート１１ａに入力され、波長λ１を含む光Ｌ１、波長λ２を含む光Ｌ２、および波長λ３を含む光Ｌ３（分離された信号光）が、それぞれポート１１ｃ、１１ｄ、１１ｅより出力される。
【００４３】
偏向素子１６は、例えばミラーアレイであり、各偏向部１６ａ〜１６ｅは可動ミラーである。各可動ミラーは、例えばＭＥＭＳ（micro-electro-mechanical systems）ミラーである。この場合、図３に示すように、偏向部１６ａは、Ｙ方向に延びる第１の軸６１と、Ｘ方向に延びる第２の軸６２を備えている。偏向部１６ａは、駆動部１７の指令に応じて、第１の軸６１周りに回動可能とされている。また偏向部１６ａは、駆動部１７の指令に応じて、第２の軸６２周りに回動可能とされている。残りの偏向部１６ｂ〜１６ｅについても同様である。
【００４４】
駆動部１７は、先ず図３の（ａ）に示すように、偏向部１６ａを第２の軸６２周りに角度φだけ回転させ、光Ｌ１をＹ方向に偏向する。これにより、光Ｌ１はポートアレイ１１からＹ方向に変位し、ポート１１ｂとの結合が解除される。したがって、ポート１１ａとポート１１ｂ間の光接続が絶たれる。
【００４５】
次いで駆動部１７は、図３の（ｂ）に示すように、偏向部１６ａを第１の軸６１周りに角度θだけ回転させ、光Ｌ１をＸ方向に偏向する。これにより、光Ｌ１はポート１１ｅの側方へ変位する。
【００４６】
次いで駆動部１７は、図３の（ａ）に示した動作とは逆に、偏向部１６ａを第２の軸６２周りに角度−φだけ回転させ、光Ｌ１のＹ方向に係る偏向を元に戻す。これにより、光Ｌ１はポートアレイ１１に向かって変位し、ポート１１ｅと結合される。したがって、ポート１１ａとポート１１ｅ間の光接続が確立する。
【００４７】
なお図２においては光路を単純化して示すために図示を省略しているが、光学部品のレイアウトに応じて適宜に光の進行方向を変えるミラー１８を、分光素子１４と集光レンズ１５の間に配置してもよい。集光レンズ１５と偏向素子１６の間についても同様である。
【００４８】
図４に示すように、本実施形態に係る波長選択スイッチ１は、偏向素子１６を駆動しない非動作時（例えば電源オフ時など）においては、各偏向部１６ａ〜１６ｅにより偏向された光が、ポート１１ａ〜１１ｅを避ける待機位置Ｐに導かれるように構成されている。
【００４９】
より具体的には、駆動部１７への電力供給が絶たれることにより、各偏向部１６ａ〜１６ｅの第１の軸６１と第２の軸６２を所望の回転角に保持する力が解除され、各偏向部１６ａ〜１６ｅの反射面の向きは初期状態となる。この初期状態が待機位置Ｐに対応するものであり、待機位置Ｐとは、偏向素子１６により反射されて偏向された光（以下、偏向光と称する）がいずれのポートとも結合しないことを保証する位置である。
【００５０】
図４においては、ポートアレイ１１のポート１１ｃに入力された光が、待機位置Ｐに至る経路を代表して示している。ポート１１ｃから入力された光は、コリメータアレイ１２、アナモルフィック光学系１３、分光素子１４、ミラー１８を経て、波長成分光Ｌａとして集光レンズ１５に入射する。次いで波長成分光Ｌａは、集光レンズ１５により偏向素子１６に集光される。
【００５１】
集光レンズ１５の形状および配置は、初期状態にある偏向素子１６により偏向された偏向光Ｌｂが、集光レンズ１５に再入射するように定められている。このとき集光レンズ１５において偏向光Ｌｂが入射する箇所は、波長成分光Ｌａが入射した箇所とは異なるように構成されている。
【００５２】
ポートアレイ１１、コリメータアレイ１２、アナモルフィック光学系１３、分光素子１４、およびミラー１８の各々は、適宜の支持構造により、光学基板２０との間に隙間Ｇを形成するように支持されている。集光レンズ１５を通過した偏向光Ｌｂは、当該隙間Ｇを進行し、筺体２の内壁面２ｄの一部である待機位置Ｐに到達する。
【００５３】
待機位置Ｐには、光吸収部材１９が配置されている。光吸収部材１９は、入射した光の反射、散乱、拡散を可及的に抑制する材料と形状からなる。
【００５４】
以上説明したように、本実施形態に係る波長選択スイッチ１は、ポートアレイ１１、分光素子１４、偏向素子１６、および光吸収部材１９を備えている。ポートアレイ１１においては、入力ポートと出力ポートを含む複数のポート１１ａ〜１１ｅがＸ方向（第１方向の一例）に配列されている。分光素子１４は、入力ポートから入力された光をＹ方向（第２方向の一例）に分光する。偏向素子１６は、Ｙ方向に配列された偏向部１６ａ〜１６ｅを有する。偏向部１６ａ〜１６ｅの各々は、分光素子１４により分光された所定の波長成分光Ｌａを偏向する。偏向素子１６を駆動しない非動作時においては、偏向部１６ａ〜１６ｅにより偏向された各偏向光Ｌｂは、ポート１１ａ〜１１ｅを避ける待機位置Ｐ（所定位置の一例）に導かれる。待機位置Ｐには、偏向光Ｌｂを吸収する光吸収部材１９（光減衰部材の一例）が設けられている。
【００５５】
このような構成によれば、偏向光Ｌｂがいずれのポート１１ａ〜１１ｅとも結合しないことを保証する位置として定められた待機位置Ｐにおいて、偏向光Ｌｂが光吸収部材１９により吸収されるため、当該位置において主として反射に起因する迷光の発生を防止することができる。すなわち光接続を確立するための偏向角制御が解除された状態において、意図しないポートへの信号光の混入が回避される。したがって、波長選択スイッチ１の安定した動作を実現できる。
【００５６】
波長選択スイッチ１は、波長成分光Ｌａを偏向素子１６へ向けて集光する集光レンズ１５（集光光学系の一例）を備えている。集光レンズ１５の形状および配置は、非動作時における偏向素子１６により偏向された偏向光Ｌｂが、集光レンズ１５に再入射するように定められている。
【００５７】
単にポート１１ａ〜１１ｅを避けるという要件を満足するのであれば、待機位置Ｐの場所はほぼ任意に定めうる。しかしながら、待機位置Ｐを不作為に定めてしまうと、封止空間４内の様々な構造による再反射を主因とする迷光が生ずるおそれが増す。上記の構成によれば、偏向光Ｌｂを敢えて集光レンズ１５に再入射させることにより、その後の偏向光Ｌｂの進路を光学系の制御下に置くようにしている。これにより偏向光Ｌｂの進路が特定しやすくなり、迷光防止対策を確実に講じることができる。例えば光吸収部材１９の材料、形状、配置などが管理しやすくなる。
【００５８】
波長選択スイッチ１は、ポートアレイ１１、分光素子１４、集光レンズ１５を含む複数の光学部品を支持する光学基板２０を備えている。これらの光学部品と光学基板２０の間には、支持構造により隙間Ｇが形成されている。非動作時における偏向素子１６により偏向された偏向光Ｌｂは、この隙間Ｇを通過する。
【００５９】
このような構成によれば、待機位置Ｐに至る偏向光Ｌｂの光路を定める上で、光学部品の支持構造により形成された隙間Ｇを有効活用することができる。
【００６０】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６１】
迷光の発生を防止するために待機位置Ｐに配置される部材は、光吸収部材１９に限られるものではない。入射した偏向光Ｌｂの進行方向における光強度を減衰しうる限りにおいて、偏向光Ｌｂに対して拡散、分散の少なくとも１つを行なうことにより偏向光Ｌｂの光路を変更する部材が、待機位置Ｐに配置されうる。部材の材料、形状、配置などは、拡散あるいは分散された偏向光Ｌｂが、ポート１１ａ〜１１ｅのいずれかと結合しないことを要件に定められる。
【００６２】
偏向光Ｌｂの進行方向における光強度を減衰する部材は、必ずしも筺体２の内壁面２ｄに設けられることを要しない。例えば図５に示す第１変形例に係る波長選択スイッチ１Ａにおいては、電気基板３０の表面３０ｂを待機位置Ｐとし、当該表面３０ｂを光減衰部材の一例として使用している。電気基板３０の表面３０ｂは、筺体２の内壁面２ｄよりも偏向光に対する吸収性、散乱性、および拡散性の少なくとも１つが高い。
【００６３】
このような条件を満足するためには、例えば電気基板３０の表面３０ｂは、筺体２の内壁面２ｄよりも高い表面粗さを有していることが好ましい。これにより、粗面である表面３０ｂが光散乱効果を発揮するため、封止空間４内の構造による偏向光Ｌｂの再反射を主因とする迷光の発生が防止される。また波長選択スイッチ１を構成する上で必要な部品である電気基板３０を有効活用することができ、光減衰部材を設けるために別途の加工や部品追加の必要がない。
【００６４】
本変形例においては、筺体２の内壁面２ｄには、光反射部材５０が配置されている。光反射部材５０は、偏向光Ｌｂを電気基板３０の表面３０ｂへ向けて反射する。偏向光Ｌｂを表面３０ｂへ直接導くことができない場合は、このような構成を採用することができる。偏向光Ｌｂを筺体２の内壁面２ｄ（光学系の外側）に一旦導くことにより、偏向光Ｌｂが光学系と干渉するおそれを抑制できる。その上で、表面３０ｂへ偏向光Ｌｂを容易に導くことができる。
【００６５】
光反射部材５０により反射された偏向光Ｌｂの行き先（すなわち待機位置Ｐ）は、電気基板３０の表面３０ｂに限られるものではない。筺体２の内壁面２ｄよりも高い表面粗さを有する適宜の場所を待機位置Ｐとして定めうる。その際、光学基板２０上に配置された光学系から可及的に離れた位置を待機位置Ｐとして定めれば、偏向光Ｌｂがポート１１ａ〜１１ｅと再結合するおそれを抑制できる。
【００６６】
偏向光Ｌｂは、必ずしも光学部品の支持構造により光学基板２０との間に形成された隙間Ｇを通過することを要しない。例えば、光学基板２０に支持された光学部品自体に貫通孔を形成し、偏向光Ｌｂが当該貫通孔を通過して待機位置Ｐに至る構成としてもよい。本明細書においては、そのような構成も「光学部品と光学基板２０の間を通過する」場合として取り扱う。
【００６７】
非動作時における偏向素子１６の偏向面は、必ずしも光学基板２０の側を向くことを要しない。例えば図６に示す第２変形例に係る波長選択スイッチ１Ｂのように、非動作時における偏向素子１６の偏向面が電気基板３０の側を向くように構成してもよい。この場合、偏向光Ｌｂは、集光レンズ１５の上端部付近を通過し、他の光学部品の直上を通過して筺体２の内壁面２ｄ上に定められた待機位置Ｐに設けられた光吸収部材１９に入射する。光吸収部材１９を図５に示す光反射部材５０で置き換えてよいことは明らかである。
【００６８】
偏向光Ｌｂは、必ずしも筺体２の内壁面２ｄに到達させることを要しない。ポートアレイ１１、コリメータアレイ１２、アナモルフィック光学系１３、分光素子１４、ミラー１８、集光レンズ１５のいずれかの一部に、光吸収部材１９を配置してもよい。図７は、ミラー１８の一部に光吸収部材１９を配置した第３変形例に係る波長選択スイッチ１Ｃを示している。この場合、偏向光Ｌｂは筺体２の内壁面２ｄに到達することなく、光吸収部材１９により吸収される。すなわち光吸収部材１９が設けられた箇所が待機位置Ｐとなる。いずれの箇所に光吸収部材１９を配置するかは、光学部品のレイアウト等に鑑みて適宜に定められる。
【００６９】
上記の構成によれば、偏向光Ｌｂの光路を可及的に短くすることができるため、迷光が発生するおそれを抑制することができる。しかしながら、光学系内で偏向光を散乱・拡散させるには注意が必要であるため、光減衰部材の材料、配置、形状などの選択について制約が多くなる。一方、上記の実施形態のように待機位置Ｐを筺体２の内壁面２ｄとする場合、光減衰機能を実現するために用いられる手段についての制約を少なくすることができる。
【００７０】
ポートアレイ１１が備える複数のポートのうち、入力ポートとして用いるポートの数、および出力ポートとして用いるポートの数は、上記の実施形態について示した数に限られるものではない。入力ポートと出力ポートとして用いられるポートをそれぞれ少なくとも１つ含む限りにおいて、ポートアレイ１１が備えるポートの数は任意である。
【００７１】
アナモルフィック光学系１３は、一対のプリズムに限られるものではなく、Ｘ方向またはＹ方向にのみ屈折力を有する光学部品（例えば、シリンドリカルレンズやシリンドリカルミラー）を単独もしくは複数個組み合わせることによって構成してもよい。また、Ｘ方向に屈折力を有する光学部品を用いて光をＸ方向に縮小する縮小光学系を用いてもよい。
【００７２】
分光素子１４は、入射した光をＹ方向に分光しうる限りにおいて、透過型の回折格子を複数個組み合わせて構成してもよいし、リットマン−メトカルフ型の構成を有する回折格子を用いても良い。また、反射型の回折格子やグリズム、スーパープリズム、導波路型回折格子等で構成してもよい。  
【００７３】
偏向素子１６は、ＭＥＭＳミラーに限られるものではない。ＬＣＯＳ（Liquid Crystal on Silicon）のような反射型液晶素子や、透過型液晶素子、ＤＭＤ  (Digital Mirror Device)といった、印加する電圧によって光路が切り替えられる素子を用いてもよい。この場合、駆動部１７は、Ｘ方向およびＹ方向についての偏向量に応じた電圧を印加する。
【符号の説明】
【００７４】
１：波長選択スイッチ
２：筺体
２ｄ：内壁面
１１：ポートアレイ
１１ａ〜１１ｅ：ポート
１４：分光素子
１５：集光レンズ
１６：偏向素子
１６ａ〜１６ｅ：偏向部
１９：光吸収部材
２０：光学基板
３０：電気基板
３０ｂ：表面
５０：光反射部材
Ｇ：隙間
Ｌａ：波長成分光
Ｌｂ：偏向光
Ｐ：待機位置
【図１】
2015001723.tif 000003
【図２】
2015001723.tif 000004
【図３】
2015001723.tif 000005
【図４】
2015001723.tif 000006
【図５】
2015001723.tif 000007
【図６】
2015001723.tif 000008
【図７】
2015001723.tif 000009